(57)【要約】      （修正有）【課題】ネットワークとの間のＩＳＲ（Ｉｄｌｅ  ｍｏｄｅ  Ｓｉｇｎａｌｌｉｎｇ  Ｒｅｄｕｃｔｉｏｎ）状態の不一致の発生を事前に防ぐ。【解決手段】携帯端末装置１は、（Ｒｏｕｔｉｎｇ  Ａｒｅａ  Ｕｐｄａｔｅ）受け入れメッセージを受信する。このとき、ＴＩＮ（Ｔｅｍｐｏｒａｒｙ  Ｉｄｅｎｔｉｔｙ  ｕｓｅｄ  ｉｎ  Ｎｅｘｔ  ｕｐｄａｔｅ）が現在はＧＵＴＩ（Ｇｌｏｂａｌｌｙ  Ｕｎｉｑｕｅ  Ｔｅｍｐｏｒａｒｙ  Ｉｄｅｎｔｉｆｉｅｒ）に設定されており、ＲＡＵ受け入れメッセージがＩＳＲの有効を示しており、かつ、ＴＡＵ（Ｔｒａｃｋｉｎｇ  Ａｒｅａ  Ｕｐｄａｔｅ）周期タイマが既に満了となっている場合、ＴＩＮをＰ−ＴＭＳＩ（Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｔｙ）に設定し、ＴＡＵ周期タイマが満了したときに、ＴＡＵ処理が開始される。【選択図】図３
2020182224.tif 000002
【特許請求の範囲】
【請求項１】
ＲＡＵ（Ｒｏｕｔｉｎｇ  Ａｒｅａ  Ｕｐｄａｔｅ）受け入れメッセージを受信する受信手段と、
（１）ＴＩＮ（Ｔｅｍｐｏｒａｒｙ  Ｉｄｅｎｔｉｔｙ  ｕｓｅｄ  ｉｎ  Ｎｅｘｔ  ｕｐｄａｔｅ）が現在はＧＵＴＩ（Ｇｌｏｂａｌｌｙ  Ｕｎｉｑｕｅ  Ｔｅｍｐｏｒａｒｙ  Ｉｄｅｎｔｉｆｉｅｒ）に設定されており、（２）前記ＲＡＵ受け入れメッセージがＩＳＲ（Ｉｄｌｅ  ｍｏｄｅ  Ｓｉｇｎａｌｌｉｎｇ  Ｒｅｄｕｃｔｉｏｎ）の有効を示しており、かつ（３）ＴＡＵ（Ｔｒａｃｋｉｎｇ  Ａｒｅａ  Ｕｐｄａｔｅ）周期タイマが既に満了となっている場合に、前記ＴＩＮをＰ−ＴＭＳＩ（Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｔｙ）に設定する制御手段と、
を備え、
前記ＴＡＵ周期タイマが満了したときに、ＴＡＵ処理が開始される、
Ｕｓｅｒ  Ｅｑｕｉｐｍｅｎｔ（ＵＥ）。
【請求項２】
前記ＴＩＮがＰ−ＴＭＳＩに設定されていることは、前記ＩＳＲが無効にされていることに相当する、請求項１に記載のＵＥ。
【請求項３】
前記ＴＩＮがＧＵＴＩに設定されていることは、前記ＩＳＲが無効にされていることに相当する、請求項１又は２に記載のＵＥ。
【請求項４】
前記ＴＩＮがＰ−ＴＭＳＩに設定されている場合に、「Ｐ−ＴＭＳＩからＧＵＴＩ」を古いＧＵＴＩとして含むＴＡＵ要求を送信する送信手段をさらに備える、請求項１〜３のいずれか１項に記載のＵＥ。
【請求項５】
Ｕｓｅｒ  Ｅｑｕｉｐｍｅｎｔ（ＵＥ）によって、ＲＡＵ（Ｒｏｕｔｉｎｇ  Ａｒｅａ  Ｕｐｄａｔｅ）受け入れメッセージを受信すること、及び
（１）ＴＩＮ（Ｔｅｍｐｏｒａｒｙ  Ｉｄｅｎｔｉｔｙ  ｕｓｅｄ  ｉｎ  Ｎｅｘｔ  ｕｐｄａｔｅ）が現在はＧＵＴＩ（Ｇｌｏｂａｌｌｙ  Ｕｎｉｑｕｅ  Ｔｅｍｐｏｒａｒｙ  Ｉｄｅｎｔｉｆｉｅｒ）に設定されており、（２）前記ＲＡＵ受け入れメッセージがＩＳＲ（Ｉｄｌｅ  ｍｏｄｅ  Ｓｉｇｎａｌｌｉｎｇ  Ｒｅｄｕｃｔｉｏｎ）の有効を示しており、かつ（３）ＴＡＵ（Ｔｒａｃｋｉｎｇ  Ａｒｅａ  Ｕｐｄａｔｅ）周期タイマが既に満了となっている場合に、前記ＴＩＮをＰ−ＴＭＳＩ（Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｔｙ）に設定すること、
を備え、
前記ＴＡＵ周期タイマが満了したときに、ＴＡＵ処理が開始される、
無線呼出処理方法。
【請求項６】
前記ＴＩＮがＰ−ＴＭＳＩに設定されていることは、前記ＩＳＲが無効にされていることに相当する、請求項５に記載の無線呼出処理方法。
【請求項７】
前記ＴＩＮがＧＵＴＩに設定されていることは、前記ＩＳＲが無効にされていることに相当する、請求項５又は６に記載の無線呼出処理方法。
【請求項８】
前記ＴＩＮがＰ−ＴＭＳＩに設定されている場合に、「Ｐ−ＴＭＳＩからＧＵＴＩ」を古いＧＵＴＩとして含むＴＡＵ要求を送信することをさらに備える、請求項５〜７のいずれか１項に記載の無線呼出処理方法。
【発明の詳細な説明】
【技術分野】
【０００１】
本発明は、携帯電話機などの携帯端末装置（規格としては、「ＵＥ（Ｕｓｅｒ  Ｅｑｕｉｐｍｅｎｔ）」と呼ばれる）に関し、特に、複数の無線アクセス技術（ＲＡＴ：Ｒａｄｉｏ  Ａｃｃｅｓｓ  Ｔｅｃｈｎｏｌｏｇｙ）との通信方式をサポートする携帯端末装置および無線呼出処理方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）標準化においてＬＴＥ（Ｌｏｎｇ  Ｔｅｒｍ  Ｅｖｏｌｕｔｉｏｎ）あるいはＥーＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）として規定される通信方式では、複数のＲＡＴとの通信方式（ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）など）に対応する携帯端末装置が異なるＲＡＴ間を移動する際に、ネットワークとの間で発生する位置登録処理の頻度を減少させるため、ＩＳＲ（Ｉｄｌｅ  ｍｏｄｅ  Ｓｉｇｎａｌｌｉｎｇ  Ｒｅｄｕｃｔｉｏｎ）という機能が導入されている。ＩＳＲが有効である場合、携帯端末装置は、ネットワークから受信したＧＳＭやＵＭＴＳ関連位置登録情報パラメータと、ＬＴＥ関連位置登録情報パラメータとを両方保持し、すでに位置登録処理を実施したＧＳＭ／ＵＭＴＳエリアとＬＴＥエリアとの間を、ネットワークとの位置登録処理をすることなく移動することが可能となる。
【０００３】
ＩＳＲの概要については、３ＧＰＰ仕様書である非特許文献１〜３に規定されている。
【先行技術文献】
【非特許文献】
【０００４】
【非特許文献１】ＴＳ２３．４０１：  Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ（ｈｔｔｐ：／／ｗｗｗ．３ｇｐｐ．ｏｒｇ／ｆｔｐ／Ｓｐｅｃｓ／ｈｔｍｌ−ｉｎｆｏ／２３４０１．ｈｔｍ）
【非特許文献２】ＴＳ２４．３０１：  Ｎｏｎ−Ａｃｃｅｓｓ−Ｓｔｒａｔｕｍ（ＮＡＳ）  ｐｒｏｔｏｃｏｌ  ｆｏｒ  Ｅｖｏｌｖｅｄ  Ｐａｃｋｅｔ  Ｓｙｓｔｅｍ（ＥＰＳ）；  Ｓｔａｇｅ  ３）（ｈｔｔｐ：／／ｗｗｗ．３ｇｐｐ．ｏｒｇ／ｆｔｐ／Ｓｐｅｃｓ／ｈｔｍｌ−ｉｎｆｏ／２４３０１．ｈｔｍ
【非特許文献３】ＴＳ２４．００８：  Ｍｏｂｉｌｅ  ｒａｄｉｏ  ｉｎｔｅｒｆａｃｅ  Ｌａｙｅｒ  ３  ｓｐｅｃｉｆｉｃａｔｉｏｎ；  Ｃｏｒｅ  ｎｅｔｗｏｒｋ  ｐｒｏｔｏｃｏｌｓ；  Ｓｔａｇｅ  ３（ｈｔｔｐ：／／ｗｗｗ．３ｇｐｐ．ｏｒｇ／ｆｔｐ／Ｓｐｅｃｓ／ｈｔｍｌ−ｉｎｆｏ／２４００８．ｈｔｍ）
【発明の概要】
【発明が解決しようとする課題】
【０００５】
ところで、３ＧＰＰにおけるＩＳＲ動作において、携帯端末装置が保持する位置登録周期タイマ満了後にネットワークからＩＳＲ有効化が指示されると、その後、携帯端末装置は、ＩＳＲ無効化タイマを開始せず、ＩＳＲ有効のままとなってしまうことがある。このような場合、ネットワークはＩＳＲ無効として動作するが、携帯端末装置側はＩＳＲ有効のまま動作するという状態不一致が発生する。
【０００６】
その理由は、携帯端末装置とネットワークが位置登録状態を同期するためにそれぞれ保持する位置登録周期タイマの長さは、完全には同じではなく、ネットワークが保持するタイマの方が長く設定される仕様となっているためである。
【０００７】
また、ネットワークと携帯端末装置間でＩＳＲの状態不一致が発生した状態において、携帯端末装置が異なるＲＡＴのエリアに移動し、位置登録処理を実施すると、ネットワークは、異なるＲＡＴのエリア間で携帯端末装置の位置登録情報を引き継ぐことができないことになる。
【０００８】
その理由は、携帯端末装置がＲＡＴをまたぐエリア移動を行った場合、携帯端末装置がネットワークへ送信する位置登録要求メッセージに設定する端末固有識別子（ＧＵＴＩ（Ｇｌｏｂａｌｌｙ  Ｕｎｉｑｕｅ  Ｔｅｍｐｏｒａｒｙ  Ｉｄｅｎｔｉｆｉｅｒ）、Ｐ−ＴＭＳＩ（Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｔｙ）など）は、ＩＳＲの有効／無効により異なるためである。ネットワークと携帯端末装置間でＩＳＲの状態不一致が発生している状態で、携帯端末装置がＩＳＲ有効として位置登録要求メッセージを送信した場合、３ＧＰＰ上では、ネットワーク内部でエリア移動前のＲＡＴからの位置登録情報を引き継ぐことができない仕様となっている。
【０００９】
さらに、携帯端末装置が異なるＲＡＴのエリアを移動し位置登録処理を実施するが、ネットワークは異なるＲＡＴのエリア間で携帯端末装置の位置登録情報を引き継ぐことができない場合には、携帯端末装置が、ネットワークから不要な登録解除処理要求を受信する可能性がある。
【００１０】
その理由は、ネットワークは異なるＲＡＴのエリア間で携帯端末装置の位置登録情報を引き継ぐことができない場合、携帯端末装置の正しい位置登録情報を得るため、一度携帯端末装置に登録解除処理を行い、再度位置登録処理の実施を要求することが、ネットワーク動作として許容されているためである。
【課題を解決するための手段】
【００１１】
本発明の第１の側面によると、ＲＡＵ（Ｒｏｕｔｉｎｇ  Ａｒｅａ  Ｕｐｄａｔｅ）受け入れメッセージを受信する受信手段と、（１）ＴＩＮ（Ｔｅｍｐｏｒａｒｙ  Ｉｄｅｎｔｉｔｙ  ｕｓｅｄ  ｉｎ  Ｎｅｘｔ  ｕｐｄａｔｅ）が現在はＧＵＴＩ（Ｇｌｏｂａｌｌｙ  Ｕｎｉｑｕｅ  Ｔｅｍｐｏｒａｒｙ  Ｉｄｅｎｔｉｆｉｅｒ）に設定されており、（２）ＲＡＵ受け入れメッセージがＩＳＲの有効を示しており、かつ（３）ＴＡＵ（Ｔｒａｃｋｉｎｇ  Ａｒｅａ  Ｕｐｄａｔｅ）周期タイマが既に満了となっている場合に、ＴＩＮをＰ−ＴＭＳＩ（Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｔｙ）に設定する設定手段と、を備え、ＴＡＵ周期タイマが満了したときに、ＴＡＵ処理が開始されることを特徴とする携帯端末装置が提供される。
【００１２】
本発明の第２の側面によると、携帯端末装置により、ＴＡＵ受け入れメッセージを受信し、（１）ＴＩＮが現在、Ｐ−ＴＭＳＩに設定されており、（２）ＴＡＵ受け入れメッセージがＩＳＲの有効を示しており、かつ（３）ＲＡＵ周期タイマが既に満了となっている場合に、ＴＩＮをＧＵＴＩに設定し、ＴＡＵ周期タイマが満了したときに、ＴＡＵ処理が開始される無線呼出処理方法が提供される。
【発明の効果】
【００１３】
本発明によると、ネットワークとの間のＩＳＲ状態の不一致の発生を事前に防ぐことのできる効果がある。
【図面の簡単な説明】
【００１４】
【図１】本発明の実施の形態に係る携帯端末装置の構成例を示す図である。
【図２】３ＧＰＰ仕様要求事項を説明する図であり、携帯端末装置とネットワークの動作例を示すシーケンス図である。
【図３】図１に示す携帯端末装置とネットワークの動作例を示すシーケンス図である。
【図４】ＩＳＲで使用されるＩＳＲ無効化タイマの動作について、携帯端末装置とネットワークの動作例を示すシーケンス図である。
【発明を実施するための形態】
【００１５】
以下、本発明の実施の形態について、図面を参照して詳細に説明する。
【００１６】
図１は、本発明の実施の形態に係る携帯端末装置の構成例を示す図である。
【００１７】
この携帯端末装置１は、ネットワーク２との間で、複数のＲＡＴの通信方式で通信可能である。ここでは、ＲＡＴとして、Ｅ−ＵＴＲＡＮ（ＬＴＥ）と、ＧＥＲＡＮ／ＵＴＲＡＮ（ＧＳＭ  ＥＤＧＥ  Ｒａｄｉｏ  Ａｃｃｅｓｓ  Ｎｅｔｗｏｒｋ／Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の２つを利用する場合を例に説明する。
【００１８】
携帯端末装置１とネットワーク２とのでＩＳＲを有効とすることにより、携帯端末装置１が、複数のＲＡＴとの間で一定の時間が経過するごとに位置登録処理を行い、すでに位置登録されたＲＡＴ間では、携帯端末装置１を、新たな位置登録処理を行うことなく移動可能とすることができる。また、携帯端末装置１とネットワーク２との間でＩＳＲの有効または無効の状態が異なる可能性ある場合に、ネットワーク２が携帯端末装置１にＩＳＲの有効化を指示しても、携帯端末装置１はその指示を無視する構成となっている。
【００１９】
携帯端末装置１は、複数のＲＡＴの通信方式でネットワーク２と無線通信可能な無線部３と、複数のＲＡＴのそれぞれについて、無線部３による通信を制御する通信制御部４とを備える。携帯端末装置１はまた、無線部３および通信制御部４の動作を制御する主制御部５と、主制御部５から指示される情報を保持し、読み込みや書き込みに対応するメモリ６とを備える。
【００２０】
通信制御部４は、対向するネットワーク２内のＥ−ＵＴＲＡＮとの接続を制御するＬＴＥ制御部７と、ＧＥＲＡＮ／ＵＴＲＡＮとの接続を制御する２Ｇ／３Ｇ制御部８とを備える。
【００２１】
ＬＴＥ制御部７は、ＬＴＥ送受信制御部９と、ＬＴＥ送受信処理部１０とを備える。ＬＴＥ送受信制御部９は、通信制御ソフトウェアにより構成され、対向するネットワーク２と送受信するメッセージやデータを制御する。ＬＴＥ送受信処理部１０は、対向するネットワーク２と送受信するメッセージやデータを、ＬＴＥ送受信制御部９の扱う形式と無線部３の扱う形式との間で変換する。
【００２２】
２Ｇ／３Ｇ制御部８は、２Ｇ／３Ｇ送受信制御部１１と、２Ｇ／３Ｇ送受信処理部１２とを備える。２Ｇ／３Ｇ送受信制御部１１は、通信制御ソフトウェアにより構成され、対向するネットワーク２と送受信するメッセージやデータを制御する。２Ｇ／３Ｇ送受信処理部１２は、対向するネットワーク２と送受信するメッセージやデータを、２Ｇ／３Ｇ送受信処理部１２の扱う形式と無線部３の扱う形式との間で変換する。
【００２３】
通信制御部４はまた、無線部３による通信を制御するため、
・ＩＳＲ状態（有効／無効）（３ＧＰＰ上は、携帯端末装置の内部パラメータであるＴＩＮ（Ｔｅｍｐｏｒａｒｙ  Ｉｄｅｎｔｉｔｙ  ｕｓｅｄ  ｉｎ  Ｎｅｘｔ  ｕｐｄａｔｅ）により管理される） 
・ＬＴＥネットワークへの位置登録情報（ＴＡＵ  Ｐｅｒｉｏｄｉｃ  Ｔｉｍｅｒ，  Ｅ−ＵＴＲＡＮ  ｄｅａｃｔｉｖａｔｅ  ＩＳＲ  ｔｉｍｅｒ、ＧＵＴＩ（Ｇｌｏｂａｌｌｙ  Ｕｎｉｑｕｅ  Ｔｅｍｐｏｒａｒｙ  Ｉｄｅｎｔｉｆｉｅｒ）など）
・ＧＥＲＡＮ／ＵＴＲＡＮネットワークへの位置登録情報（ＲＡＵ  Ｐｅｒｉｏｄｉｃ  Ｔｉｍｅｒ，  ＧＥＲＡＮ／ＵＴＲＡＮ  Ｄｅａｃｔｉｖａｔｅ  ＩＳＲ  ｔｉｍｅｒ、Ｐ−ＴＭＳＩ（Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｔｙ）など）
を管理する。
【００２４】
図２は、３ＧＰＰ仕様要求事項を説明する図であり、携帯端末装置１とネットワーク２の動作例を示すシーケンス図である。
【００２５】
ここで、携帯端末装置１の初期状態が、ＩＳＲが無効であるとする（ステップＳ１）。このとき、ネットワーク２内のＬＴＥネットワーク２１は、携帯端末装置１の位置登録情報を保持しているものとする（ステップＳ２）。これは、この時点までに、携帯端末装置１がＬＴＥネットワーク２１に対して位置登録処理を実施し、成功していることを示す。これに対し、ネットワーク２内のＧＥＲＡＮ／ＵＴＲＡＮネットワーク２２は、携帯端末装置１の位置登録情報は保持していないものとする（ステップＳ３）。これは、現在、携帯端末装置１からＧＥＲＡＮ／ＵＴＲＡＮネットワーク２２に対して、位置登録処理が実施されていないことを示す。
【００２６】
位置登録した状態で一定の時間が経過すると携帯端末装置１から再度ネットワーク２に対し位置登録処理を試みる動作が、３ＧＰＰ上規定されている。この一定の時間の経過は、通信制御部４内において、位置登録周期タイマ（ＴＡＵ（Ｔｒａｃｋｉｎｇ  Ａｒｅａ  Ｕｐｄａｔｅ）  Ｐｅｒｉｏｄｉｃ  Ｔｉｍｅｒ、ＲＡＵ（Ｒｏｕｔｉｎｇ  Ａｒｅａ  Ｕｐｄａｔｅ）  Ｐｅｒｉｏｄｉｃ  Ｔｉｍｅｒなど）の満了により検出される。図２の例では、ＴＡＵ  Ｐｅｒｉｏｄｉｃ  Ｔｉｍｅｒの満了が検出される。位置登録周期タイマ（ＴＡＵ  Ｐｅｒｉｏｄｉｃ  Ｔｉｍｅｒ）が満了すると（ステップＳ４）、ＴＡＵなど位置登録処理の開始が要求される。しかし、ＬＴＥエリアの圏外であった場合など、位置登録処理が開始できない状況においては、位置登録処理は開始されない。この場合、次に位置登録処理が開始できる状況になるまで位置登録処理を開始しないことが、３ＧＰＰ上規定されている。
【００２７】
この状態で、携帯端末装置１がＧＥＲＡＮ／ＵＴＲＡＮネットワーク２２のエリアへ移動し、ＧＥＲＡＮ／ＵＴＲＡＮエリアの圏内に入るものとする（ステップＳ５）。携帯端末装置１は、ＧＥＲＡＮ／ＵＴＲＡＮネットワーク２２に対し、ＲＡＵ（Ｒｏｕｔｉｎｇ  Ａｒｅａ  Ｕｐｄａｔｅ）などの位置登録処理を開始するため、ＲＡＵ  ＲＥＱＵＥＳＴなどの位置登録要求メッセージを送信する（ステップＳ６）。これに対し、ＧＥＲＡＮ／ＵＴＲＡＮネットワーク２２は、携帯端末装置１からの要求を受け入れたことを示すメッセージ（ＲＡＵ  ＡＣＣＥＰＴなど）を送信する。このメッセージ内部のパラメータにより、ネットワーク２は、携帯端末装置１に対し、ＩＳＲの有効化を指示する（ステップＳ８）。
【００２８】
図２の例では、ステップＳ４にて携帯端末装置１側の位置登録周期タイマが満了しているが、ＬＴＥネットワーク２１に対する位置登録は行われていない状態となる。この状態で、ＬＴＥネットワーク２１側の持つ位置登録周期タイマ（Ｍｏｂｉｌｅ  ｒｅａｃｈａｂｌｅ  ｔｉｍｅｒなど）が満了していないとき、ＬＴＥネットワーク２１は、位置登録がいまだに有効としている。このため、ＧＥＲＡＮ／ＵＴＲＡＮネットワーク２２も位置登録が成功し（ステップＳ７）、ＬＴＥ、ＧＥＲＡＮ／ＵＴＲＡＮの両ネットワーク２１、２２が位置登録成功状態となり、ネットワーク２がＩＳＲを有効とすることがある。しかし、実際には、ステップＳ６の位置登録処理の後にＬＴＥネットワーク２１の位置登録周期タイマが満了し（ステップＳ１０）、ＬＴＥネットワーク２１が保持する携帯端末装置１の位置登録情報は解放される（ステップＳ１１）。このとき、ネットワーク２側はＩＳＲが無効となったことを認識するが、携帯端末装置１側は、ステップＳ６の位置登録処理にてＧＥＲＡＮ／ＵＴＲＡＮネットワーク２２から指示されたとおり、ＩＳＲを有効としている（ステップＳ８）。このため、携帯端末装置１とネットワーク２との間で、ＩＳＲの状態が不一致となる。
【００２９】
また、携帯端末装置１とネットワーク２との間でＩＳＲの状態が不一致となると、携帯端末装置１がＩＳＲ有効として以前のＲＡＴ（図２の場合はＬＥＴネットワーク２１）移動して位置登録処理を行おうとしても（ステップＳ１２）、ネットワーク２から切断される（ステップＳ１３）。これは、携帯端末装置１がネットワーク２へ送信する位置登録要求メッセージに設定する端末固有識別子がＩＳＲの有効／無効で異なるため、３ＧＰＰ上では、ネットワーク２内部でエリア移動前のＲＡＴからの位置登録情報を引き継ぐことができない仕様となっていることによる。
【００３０】
図３は、図１に示す携帯端末装置１とネットワーク２の動作例を示すシーケンス図である。この動作例では、携帯端末装置１が、ＩＳＲが無効の状態で、それまで位置登録されていたＲＡＴ（この例ではＥ−ＵＴＲＡＮ（ＬＴＥ））に対して一定の時間が経過しても位置登録処理を行うことなく別のＲＡＴ（ＧＥＲＡＮ／ＵＴＲＡＮ）に位置登録処理を行った場合は、ネットワーク２が携帯端末装置１にＩＳＲの有効化を指示しても、携帯端末装置１はＩＳＲを無効のままとする。
【００３１】
すなわち、図２の場合と同様にステップＳ６まで進み、ステップＳ６の位置登録処理においてネットワーク２からＩＳＲの有効が指示された場合においても、携帯端末装置１は、ＩＳＲの状態を有効にせず、無効のままとする（ステップＳ２１）。
【００３２】
これにより、その後、携帯端末装置１がＬＴＥネットワーク２１の圏内へ移動し（ステップＳ９）、ＬＴＥネットワーク２１に対し位置登録処理を行うためにＴＡＵ  ＲＥＱＵＥＳＴなどの位置登録要求メッセージを送信する際に設定する端末固有識別子は、ＩＳＲ無効時のものとなる（ステップＳ２２）。このとき、携帯端末装置１は、ＬＴＥネットワーク２１に対し、ＧＥＲＡＮ／ＵＴＲＡＮネットワーク２２の保持する位置登録情報を引き継ぐ必要があることを通知する。これにより、ＬＴＥネットワーク２１は、ＧＥＲＡＮ／ＵＴＲＡＮネットワーク２２から、ステップＳ７で保持している位置登録情報を引き継ぐことができる（ステップＳ２３）。引継ぎが成功する場合、ネットワーク２側ではＩＳＲが有効となり、ＬＴＥネットワーク２１から携帯端末装置１へ送信されるメッセージにおいても、ＩＳＲの有効が通知される（ステップＳ２４）。これを受け、携帯端末装置１は、ＩＳＲの状態を有効とする（ステップＳ２５）。
【００３３】
ここでは、ＬＴＥネットワーク２１に対する位置登録周期タイマが満了し、ＧＥＲＡＮ／ＵＴＲＡＮネットワーク２２からＬＴＥネットワーク２１へ位置登録情報を引き継ぐ場合を例に説明した。これとは逆に、ＧＥＲＡＮ／ＵＴＲＡＮネットワーク２２に対する位置登録周期タイマが満了し、ＬＴＥネットワーク２１からＧＥＲＡＮ／ＵＴＲＡＮネットワーク２２へ位置登録情報を引き継ぐこともできる。
【００３４】
また、ステップＳ２１において、携帯端末装置１内部のＩＳＲの状態を実際に無効に設定せずとも、ステップＳ２２においてネットワーク２に対しＩＳＲ無効として端末識別子の設定を行うことで、実質的に、携帯端末装置１が、ネットワーク２からのＩＳＲの有効化を無視するようにすることもできる。
【００３５】
図４は、ＩＳＲで使用されるＩＳＲ無効化タイマの動作について携帯端末装置１とネットワーク２の動作例を示すシーケンス図である。
【００３６】
ＩＳＲが有効の状態で、携帯端末装置１でＩＳＲが有効な状態となっているものとし（ステップＳ３１）、ＬＴＥネットワーク２１は携帯端末装置１の位置登録情報を保持し（ステップＳ３２）、ＧＥＲＡＮ／ＵＴＲＡＮネットワーク２２も携帯端末装置１の位置登録情報を保持しているものとする（ステップＳ３３）。この状態で、一定の時間が経過して携帯端末装置１の位置登録周期タイマが満了しても（ステップＳ３４）、ＬＴＥエリアの圏外であった場合など位置登録処理が開始できない状況であることから位置登録処理が実施できない場合には、ＩＳＲ無効化タイマ（３ＧＰＰ上ではＥ−ＵＴＲＡＮ  ｄｅａｃｔｉｖａｔｅ  ＩＳＲ  ｔｉｍｅｒ（Ｔ３４２３）、ＧＥＲＡＮ／ＵＴＲＡＮ  Ｄｅａｃｔｉｖａｔｅ  ＩＳＲ  ｔｉｍｅｒ（Ｔ３３２３）が定義される）が開始される（ステップＳ３５）。所定の時間が経過した後にＩＳＲ無効化タイマが満了すると（ステップＳ３７）、携帯端末装置１は、ＩＳＲ状態を無効に変更する（ステップＳ３８）。また、ＬＴＥネットワーク２１でも、位置登録周期タイマが満了する（ステップＳ３９）と、携帯端末装置１の位置登録情報を解放する（ステップＳ４０）。このように、ネットワーク２側のＩＳＲ状態が無効になった場合にも、携帯端末装置１とネットワーク２間でＩＳＲの状態が無効で一致することが、３ＧＰＰ仕様で規定されている。
【００３７】
しかし、携帯端末装置１でＩＳＲを無効とする処理を実行することができない場合には、携帯端末装置１ではＩＳＲが有効のままであり、ネットワーク２ではＩＳＲが無効となって、ＩＳＲの状態が一致しないことになる。
【００３８】
そこで、ＩＳＲ無効化タイマを開始できない条件においては、ネットワーク２にＩＳＲの有効化が指示されても、携帯端末装置１は、その指示を無視することとする。ＩＳＲ無効化タイマを開始できない条件とは、ネットワークからＩＳＲ有効を指定されるが、すでに位置登録周期タイマ（Ｔ３４１２など）が満了している状態などである。
【００３９】
以上説明した本発明の実施の形態によれば、ＩＳＲが有効ではない状態で位置登録周期タイマが満了し、その後別ＲＡＴで実施した位置登録にてネットワーク２からＩＳＲ有効化が指示されても、携帯端末装置１側がその指示を無視しＩＳＲを有効化しないように動作するようにしたので、ＩＳＲが有効ではない状態で携帯端末装置１が保持する位置登録周期タイマ満了後にネットワーク２からＩＳＲ有効化が指示された場合にも、ネットワーク２と携帯端末装置１間のＩＳＲ状態の不一致を事前に防ぐことができる。その結果、たとえば、不要な位置登録が発生することを防ぎ、ネットワーク２との間のトラフィックの減少、携帯端末装置１のバッテリー消費の減少を図ることができる。
【００４０】
また、以上のように、携帯端末装置１がＲＡＴをまたぐエリア移動を行った場合、携帯端末装置１が、ネットワーク２へ送信する位置登録要求メッセージに設定する端末固有識別子として、ＩＳＲの有効／無効に合わせて適切な値を設定するようにしたので、ネットワーク２と携帯端末装置１との間のＩＳＲ状態の不一致を事前に防ぐことにより、携帯端末装置１が異なるＲＡＴのエリアを移動し位置登録を実施する場合に、ネットワーク２は、異なるＲＡＴのエリア間で携帯端末装置１の位置登録情報を引き継ぐことができる。これにより、ネットワーク２から不要な登録解除処理要求を受信する可能性がなくなる。その結果として、ネットワーク２からの不要な登録解除処理要求によりユーザが提供される呼が切断されることを防ぐことができる。
【符号の説明】
【００４１】
１  携帯端末装置
２  ネットワーク
３  無線部
４  通信制御部
５  主制御部
６  メモリ
７  ＬＴＥ制御部
８  ２Ｇ／３Ｇ制御部
９  ＬＴＥ送受信制御部
１０  ＬＴＥ送受信処理部
１１  ２Ｇ／３Ｇ送受信制御部
１２  ２Ｇ／３Ｇ送受信処理部
２１  ＬＴＥネットワーク
２２  ＧＥＲＡＮ／ＵＴＲＡＮネットワーク
【図１】
2020182224.tif 000003
【図２】
2020182224.tif 000004
【図３】
2020182224.tif 000005
【図４】
2020182224.tif 000006